(57)【要約】【課題】熟練工でなくても施工が容易で、解体および解体後の再利用も容易な間仕切り構造およびその施工方法を提供する。【解決手段】床側固定部材１が軸状であって床面７に垂直に固定される。床側支持部材２が筒状であって床側固定部材１の周囲に間隔をあけて前記床面に垂直に設けられる。弾性充填材４は床面７と床側固定部材１と床側支持部材２とを結合するよう床側支持部材２の内部に充填硬化される。柱材５は側部に長さ方向に伸びる溝５４を有し、下端に床側支持部材２と嵌合する下端保持孔を有する。間仕切板６は縁部が溝５４に嵌合されている。【選択図】図１
2019143460.tif 000002
【特許請求の範囲】
【請求項１】
床側固定部材と、床側支持部材と、弾性充填材と、柱材と、間仕切板とを有し、
前記床側固定部材は軸状であって床面に垂直に固定され、
前記床側支持部材は筒状であって前記床側固定部材の周囲に間隔をあけて前記床面に垂直に設けられ、
前記弾性充填材は前記床面と前記床側固定部材と前記床側支持部材とを結合するよう前記床側支持部材の内部に充填硬化され、
前記柱材は側部に長さ方向に伸びる溝を有し、下端に前記床側支持部材と嵌合する下端保持孔を有し、
前記間仕切板は側縁部が前記溝に嵌合されていることを、
特徴とする間仕切り構造。
【請求項２】
前記柱材は前記溝の両側に前記間仕切板を弾力的に保持する保持部を有することを、特徴とする請求項１記載の間仕切り構造。
【請求項３】
天井側固定部材と、天井側支持部材とを有し、
前記天井側固定部材は軸状であって天井面の前記床側固定部材と対向する位置に前記天井面と垂直に固定され、
前記天井側支持部材は筒状であって前記天井側固定部材の周囲に間隔をあけて前記天井面に垂直に設けられ、
前記弾性充填材は前記天井面と前記天井側固定部材と前記天井側支持部材とを結合するよう前記天井側支持部材の内部に充填硬化され、
前記柱材は上端に前記天井側支持部材と嵌合する上端保持孔を有することを、
特徴とする請求項１または２記載の間仕切り構造。
【請求項４】
前記柱材は前記溝の底部に側部パッキン材を有し、前記間仕切板は上縁部および下縁部に板側パッキン材を有することを、特徴とする請求項２または３記載の間仕切り構造。
【請求項５】
前記床側固定部材および前記天井側固定部材はそれぞれ複数のビスから成ることを、特徴とする請求項１乃至４のいずれか１項に記載の間仕切り構造。
【請求項６】
軸状の床側固定部材を床面の柱固定位置の中心に前記床面と垂直に固定する第１工程と、
前記第１工程後、筒状の床側支持部材を前記床側固定部材の周囲に間隔をあけて前記床面に垂直に設ける第２工程と、
前記第２工程後、前記床面と前記床側固定部材と前記床側支持部材とを結合するよう前記床側支持部材の内部に液状またはペースト状の弾性充填材を充填して硬化させる第３工程と、
前記第３工程後、側部に長さ方向に伸びる溝を有し下端に下端保持孔を有する柱材の下端を前記床側支持部材と嵌合させる第４工程と、
前記第４工程後、前記柱材の前記溝に間仕切板の側縁部を嵌合させる第５工程とを、
有することを特徴とする間仕切り構造の施工方法。
【請求項７】
軸状の床側固定部材を床面の柱固定位置の中心に前記床面と垂直に固定し、軸状の天井側固定部材を天井面の前記床側固定部材と対向する位置に前記天井面と垂直に固定する第１工程と、
前記第１工程後、筒状の床側支持部材を前記床側固定部材の周囲に間隔をあけて前記床面に垂直に設け、筒状の天井側支持部材を前記天井側固定部材の周囲に間隔をあけて前記天井面に垂直に設ける第２工程と、
前記第２工程後、前記床面と前記床側固定部材と前記床側支持部材とを結合するよう前記床側支持部材の内部に液状またはペースト状の弾性充填材を充填して硬化させ、前記天井面と前記天井側固定部材と前記天井側支持部材とを結合するよう前記天井側支持部材の内部に液状またはペースト状の弾性充填材を充填して硬化させる第３工程と、
前記第３工程後、側部に長さ方向に伸びる溝を有し上端に上端保持孔を有し下端に下端保持孔を有する柱材の上端を前記天井側支持部材と嵌合させ、前記柱材の下端を前記床側支持部材と嵌合させる第４工程と、
前記第４工程後、前記柱材の前記溝に間仕切板の側縁部を嵌合させる第５工程とを、
有することを特徴とする間仕切り構造の施工方法。
【発明の詳細な説明】
【技術分野】
【０００１】
本発明は、間仕切り構造およびその施工方法に関する。
【背景技術】
【０００２】
住宅用建築物の間仕切り構造では、床の上面に下方桟木を突設するとともに、天井の下面に上方桟木を突設し、パネル下部の嵌合溝を下方桟木に嵌合させ、パネル上部のアジャスターボルトを上方桟木の嵌合溝に嵌合させたものが開示されている（例えば、特許文献１参照）。
【先行技術文献】
【特許文献】
【０００３】
【特許文献１】特開平９−１２５５７３号公報
【発明の概要】
【発明が解決しようとする課題】
【０００４】
しかしながら、特許文献１に記載の間仕切り構造では、床の上面に下方桟木を突設し、天井の下面に上方桟木を突設する必要があるため、施工に手間がかかるという課題があった。また、上方桟木と下方桟木とを平行に設置するのに熟練を要するため、人件費が嵩むという課題があった。
【０００５】
本発明は、このような課題に着目してなされたもので、熟練工でなくても施工が容易で、解体および解体後の再利用も容易な間仕切り構造およびその施工方法を提供することを目的とする。
【課題を解決するための手段】
【０００６】
上記目的を達成するために、本発明に係る間仕切り構造は、床側固定部材と、床側支持部材と、弾性充填材と、柱材と、間仕切板とを有し、前記床側固定部材は軸状であって床面に垂直に固定され、前記床側支持部材は筒状であって前記床側固定部材の周囲に間隔をあけて前記床面に垂直に設けられ、前記弾性充填材は前記床面と前記床側固定部材と前記床側支持部材とを結合するよう前記床側支持部材の内部に充填硬化され、前記柱材は側部に長さ方向に伸びる溝を有し、下端に前記床側支持部材と嵌合する下端保持孔を有し、前記間仕切板は側縁部が前記溝に嵌合されていることを、特徴とする。
【０００７】
本発明に係る間仕切り構造の施工方法は、軸状の床側固定部材を床面の柱固定位置の中心に前記床面と垂直に固定する第１工程と、前記第１工程後、筒状の床側支持部材を前記床側固定部材の周囲に間隔をあけて前記床面に垂直に設ける第２工程と、前記第２工程後、前記床面と前記床側固定部材と前記床側支持部材とを結合するよう前記床側支持部材の内部に液状またはペースト状の弾性充填材を充填して硬化させる第３工程と、前記第３工程後、側部に長さ方向に伸びる溝を有し下端に下端保持孔を有する柱材の下端を前記床側支持部材と嵌合させる第４工程と、前記第４工程後、前記柱材の前記溝に間仕切板の側縁部を嵌合させる第５工程とを、有することを特徴とする。
【０００８】
本発明に係る間仕切り構造および本発明に係る間仕切り構造の施工方法では、軸状の床側固定部材を固定することにより、柱材の位置決めが容易である。床側支持部材は、床側固定部材を床側支持部材の中心に位置付けてその周囲に間隔をあけて床面に垂直に設けられることにより位置決めが容易であり、床側支持部材の内部に液状またはペースト状の弾性充填材を充填して硬化させることにより床側支持部材を床面に容易に固定することができる。弾性充填材の充填する高さは、解体を容易にするため、床側固定部材の高さと同じまたはより低いことが好ましい。
【０００９】
柱材は、下端保持孔を床側支持部材と嵌合させることにより容易に取り付けることができる。柱材は、弾性充填材を介して床側固定部材および床面に固定されているため、床面の振動に対する遮音効果、耐震効果および吸振効果を有する。間仕切板は、側縁部を柱材の溝に嵌合させることにより容易に取り付けることができる。したがって、熟練工でなくても施工が容易である。また、床側支持部材は床側固定部材を引き抜き、弾性充填材を床面から剥がすことにより床面から取り外すことができるので、各部材の解体および解体後の再利用も容易である。
【００１０】
本発明に係る間仕切り構造および本発明に係る間仕切り構造の施工方法において、前記柱材は前記溝の両側に前記間仕切板を弾力的に保持する保持部を有することが好ましい。
この場合、間仕切板を保持部の間に弾力的に挟んで容易に取付けることができる。
【００１１】
本発明に係る間仕切り構造は、天井側固定部材と、天井側支持部材とを有し、前記天井側固定部材は軸状であって天井面の前記床側固定部材と対向する位置に前記天井面と垂直に固定され、前記天井側支持部材は筒状であって前記天井側固定部材の周囲に間隔をあけて前記天井面に垂直に設けられ、前記弾性充填材は前記天井面と前記天井側固定部材と前記天井側支持部材とを結合するよう前記天井側支持部材の内部に充填硬化され、前記柱材は上端に前記天井側支持部材と嵌合する上端保持孔を有することが好ましい。
【００１２】
この場合、柱材は軸状の床側固定部材および軸状の天井側固定部材を固定することにより、柱材の位置決めが容易である。天井側支持部材は、天井側固定部材を天井側支持部材の中心に位置付けてその周囲に間隔をあけて天井面に垂直に設けられることにより位置決めが容易であり、天井側支持部材の内部に液状またはペースト状の弾性充填材を充填して硬化させることにより天井側支持部材を天井面に容易に固定することができる。弾性充填材の充填する長さ（高さ）は、解体を容易にするため、天井側固定部材の長さ（高さ）と同じまたはより短いことが好ましい。
【００１３】
柱材は、下端保持孔を床側支持部材と嵌合させ、上端保持孔を天井側支持部材と嵌合させることにより、安定させて容易に取り付けることができる。間仕切板は、側縁部を柱材の溝に嵌合させることにより容易に取り付けることができる。天井側支持部材は天井側固定部材を引き抜き、弾性充填材を天井面から剥がすことにより天井面から取り外すことができるので、各部材の解体および解体後の再利用も容易である。
【００１４】
本発明において、軸状の床側固定部材および軸状の天井側固定部材は、それぞれ複数のビスから成ることが好ましい。弾性充填材としては、シリコン樹脂が好ましい。シリコン樹脂としては、液状またはペースト状から硬化してゴム状弾性体となるものを使用することができる。シリコン樹脂は、常温で空気中の縮合反応により硬化するものでも、加熱による付加反応により硬化するものでも、紫外線照射により硬化するものでもよい。シリコン樹脂は、一液の反応で硬化するものでも、二液の反応で硬化するものでもよい。間仕切板には、ドアや窓が設けられていてもよい
【００１５】
本発明において、前記柱材は前記溝の底部に側部パッキン材を有し、前記間仕切板は上縁部および下縁部に板側パッキン材を有することが好ましい。
この場合、床面の振動に対する遮音効果、耐震効果および吸振効果をより高めることができる。
【００１６】
前記床側固定部材および前記天井側固定部材はそれぞれ複数のビスから成ることが好ましい。
この場合、床側固定部材および天井側固定部材と弾性充填材との結合強度を高めることができる。ビスの頭部側の軸部には、弾性充填材との結合力を高めるため、突出する羽根が設けられていてもよい。
【００１７】
本発明に係る間仕切り構造の施工方法は、軸状の床側固定部材を床面の柱固定位置の中心に前記床面と垂直に固定し、軸状の天井側固定部材を天井面の前記床側固定部材と対向する位置に前記天井面と垂直に固定する第１工程と、前記第１工程後、筒状の床側支持部材を前記床側固定部材の周囲に間隔をあけて前記床面に垂直に設け、筒状の天井側支持部材を前記天井側固定部材の周囲に間隔をあけて前記天井面に垂直に設ける第２工程と、前記第２工程後、前記床面と前記床側固定部材と前記床側支持部材とを結合するよう前記床側支持部材の内部に液状またはペースト状の弾性充填材を充填して硬化させ、前記天井面と前記天井側固定部材と前記天井側支持部材とを結合するよう前記天井側支持部材の内部に液状またはペースト状の弾性充填材を充填して硬化させる第３工程と、前記第３工程後、側部に長さ方向に伸びる溝を有し上端に上端保持孔を有し下端に下端保持孔を有する柱材の上端を前記天井側支持部材と嵌合させ、前記柱材の下端を前記床側支持部材と嵌合させる第４工程と、前記第４工程後、前記柱材の前記溝に間仕切板の側縁部を嵌合させる第５工程とを、有することが好ましい。
【００１８】
この場合、軸状の床側固定部材および軸状の天井側固定部材を固定することにより、柱材の位置決めが容易である。床側支持部材および天井側固定部材は、床側固定部材および天井側固定部材を床側支持部材および天井側支持部材の中心に位置付けてその周囲に間隔をあけて床面および天井面に垂直に設けられることにより位置決めが容易であり、床側支持部材および天井側支持部材の内部に液状またはペースト状の弾性充填材を充填して硬化させることにより床側支持部材および天井側支持部材を床面および天井面に容易に固定することができる。
【００１９】
柱材は、上端保持孔を天井側支持部材と嵌合させ、下端保持孔を床側支持部材と嵌合させることにより容易に取り付けることができる。柱材は、弾性充填材を介して床側固定部材、床面、天井側固定部材および天井面に固定されているため、床面および天井面の振動に対する遮音効果、耐震効果および吸振効果を有する。間仕切板は、側縁部を柱材の溝に嵌合させることにより容易に取り付けることができる。したがって、熟練工でなくても施工が容易である。また、床側支持部材および天井側支持部材は床側固定部材および天井側固定部材を引き抜き、弾性充填材を床面および天井面から剥がすことにより床面および天井面から取り外すことができるので、各部材の解体および解体後の再利用も容易である。
【発明の効果】
【００２０】
本発明によれば、熟練工でなくても施工が容易で、解体および解体後の再利用も容易な間仕切り構造およびその施工方法を提供することができる。
【図面の簡単な説明】
【００２１】
【図１】本発明の第１の実施の形態の間仕切り構造を示す横断面図である。
【図２】図１に示す間仕切り構造の縦断面図である。
【図３】図１に示す間仕切り構造の正面図である。
【図４】本発明の第２の実施の形態の間仕切り構造を示す横断面図である。
【図５】図４に示す間仕切り構造の縦断面図である。
【図６】図４に示す間仕切り構造の床側支持部材を示す平面図である。
【図７】図４に示す間仕切り構造の正面図である。
【発明を実施するための形態】
【００２２】
以下、図面に基づき、本発明の各種実施の形態について説明する。
図１〜図３は、本発明の第１の実施の形態の間仕切り構造を示している。
図１〜図３に示すように、本発明の実施の形態の間仕切り構造は、床側固定部材１と、天井側固定部材と、床側支持部材２と、天井側支持部材３と、弾性充填材４と、柱材５と、間仕切板６とを有している。
【００２３】
床側固定部材１は、２本のビスから成り、間仕切りする床面７に垂直に固定されている。天井側固定部材は、２本のビスから成り、天井面８の床側固定部材１と対向する位置に天井面８と垂直に固定されている。床側支持部材２および天井側支持部材３は、金属製または合成樹脂製であって、同一の形状、寸法の角筒状部材から成る。床側支持部材２および天井側支持部材３は、概略正方形状の横断面を有している。
【００２４】
床側支持部材２は、床側固定部材１の周囲に間隔をあけて床面７に垂直に設けられている。天井側支持部材３は天井側固定部材の周囲に間隔をあけて天井面８に垂直に設けられている。弾性充填材４は、液状またはペースト状から常温で空気中の縮合反応により硬化してゴム状弾性体となるシリコン樹脂から成っている。弾性充填材４は、床面７と床側固定部材１と床側支持部材２とを結合するよう床側支持部材２の内部に充填硬化されている。弾性充填材の充填する高さは、解体を容易にするため、床側固定部材１の高さと同じまたはやや低くなっている。また、弾性充填材４は、天井面８と天井側固定部材と天井側支持部材３とを結合するよう天井側支持部材３の内部に充填硬化されている。弾性充填材４の充填する長さ（高さ）は、解体を容易にするため、天井側固定部材の長さ（高さ）と同じまたはやや短くなっている。
【００２５】
柱材５は、外面部５１と内筒部５２と保持部５３とを一体的に有している。外面部５１は、細長く、概略正方形状の横断面を有している。外面部５１は、２つの側部に長さ方向に伸びる溝５４を有している。溝５４は、２つの側部に設けられるほか、１つ、３つまたは４つの側部すべてに設けられていてもよい。
【００２６】
内筒部５２は、外面部５１の中心に長さ方向に沿って伸び、上端に天井側支持部材３と嵌合する上端保持孔を有し、下端に床側支持部材２と嵌合する下端保持孔５２ａを有している。上端保持孔と下端保持孔５２ａとは、連通している。内筒部５２は、溝５４の底部となる面にゴム製の側部パッキン材５５を有している。内筒部５２は、外面部５１とリブ５６で接続されている。保持部５３は、外面部５１の溝５４から内筒部５２に向かって伸び、溝５４の両側で間仕切板６を弾力的に保持するようになっている。
【００２７】
間仕切板６は、長方形状の強度の高いパネル材から成っている。間仕切板６は、上縁部、下縁部および両側縁部にゴム製の板側パッキン材６１を有している。間仕切板６は、側縁部が溝５４に嵌合されている
【００２８】
間仕切り構造の施工方法は、５つの工程から成る。
第１工程では、床および天井に墨出しし、間仕切りの柱固定位置の中心（間仕切芯）を求める。軸状の床側固定部材１を床面７の間仕切芯に床面７と垂直に固定し、軸状の天井側固定部材を天井面８の床側固定部材１と対向する間仕切芯に天井面８と垂直に固定する。
【００２９】
第２工程では、第１工程後、床側支持部材２を床側固定部材１の周囲に間隔をあけて床面７に垂直に設ける。また、天井側支持部材３の天井側支持部材３を天井側固定部材の周囲に間隔をあけて天井面８に垂直に設ける。
【００３０】
第３工程では、第２工程後、床面７と床側固定部材１と床側支持部材２とを結合するよう床側支持部材２の内部に液状またはペースト状の弾性充填材４を充填して硬化させる。弾性充填材４の充填する高さは、解体を容易にするため、床側固定部材１の高さと同じまたはやや低くする。また、天井面８と天井側固定部材と天井側支持部材３とを結合するよう天井側支持部材３の内部に液状またはペースト状の弾性充填材４を充填して硬化させる。弾性充填材４の充填する長さ（高さ）は、解体を容易にするため、天井側固定部材の長さ（高さ）と同じまたはやや短くする。
第４工程では、第３工程後、柱材５の上端を天井側支持部材３と嵌合させ、柱材５の下端を床側支持部材２と嵌合させる。
【００３１】
第５工程では、第４工程後、柱材５の溝５４に間仕切板６の縁部を嵌合させ、間仕切板６を保持部５３の間に弾力的に挟む。間仕切板６の反対側の縁部を、第１工程〜第４工程により設けた他の柱材５の溝５４に嵌合させる。こうして、間仕切り構造を施工することができる。複数の間仕切板６および複数の柱材５を用いて、間仕切り構造の大きさを自由に設定することができる。
【００３２】
本発明の実施の形態の間仕切り構造および間仕切り構造の施工方法では、軸状の床側固定部材１および軸状の天井側固定部材を固定することにより、柱材５の位置決めが容易である。床側支持部材２および天井側固定部材は、床側固定部材１および天井側固定部材を床側支持部材２および天井側支持部材３の中心に位置付けてその周囲に間隔をあけて床面７および天井面８に垂直に設けられることにより位置決めが容易であり、床側支持部材２および天井側支持部材３の内部に液状またはペースト状の弾性充填材４を充填して硬化させることにより床側支持部材２および天井側支持部材３を床面７および天井面８に容易に固定することができる。
【００３３】
柱材５は、上端保持孔を天井側支持部材３と嵌合させ、下端保持孔５２ａを床側支持部材２と嵌合させることにより容易に取り付けることができる。柱材５は、弾性充填材４を介して床側固定部材１、床面７、天井側固定部材および天井面８に固定されているため、床面７および天井面８の振動に対する遮音効果、耐震効果および吸振効果を有する。
【００３４】
また、柱材５は溝５４の底部に側部パッキン材５５を有し、間仕切板６は上縁および下縁部に板側パッキン材６１を有するため、遮音効果、耐震効果および吸振効果が高く、居住性が良好である。間仕切板６は、縁部を柱材５の溝５４に嵌合させ、保持部５３の間に弾力的に挟むことにより容易に取り付けることができる。
【００３５】
このように、熟練工でなくても施工が容易である。また、床側支持部材２および天井側支持部材３は床側固定部材１および天井側固定部材を引き抜き、弾性充填材４を床面７および天井面８から剥がすことにより床面７および天井面８から取り外すことができるので、各部材の解体および解体後の再利用も容易である。
【００３６】
以下、図面に基づき、本発明の第２の実施の形態について説明する。
図４〜図７は、本発明の第２の実施の形態の間仕切り構造を示している。
以下、本発明の第１の実施の形態の間仕切り構造と同一の部材には、同一の符号を付し、重複した説明を省略する。
図４〜図７に示すように、本発明の実施の形態の間仕切り構造は、床側固定部材１と、天井側固定部材と、床側支持部材２Ａと、天井側支持部材３Ａと、弾性充填材４と、柱材５と、間仕切板６とを有している。
【００３７】
床側支持部材２Ａは筒状の床側筒部２１と板状の床支持部２２とを一体的に有し、天井側支持部材３Ａは筒状の天井側筒部と板状の天井支持部とを一体的に有している。床側支持部材２Ａおよび天井側支持部材３Ａは、同一の形状、寸法の部材から成る。
【００３８】
床側筒部２１および天井側筒部は、概略正方形状の横断面を有している。床支持部２２および天井支持部は、それぞれ４枚の板から成り、床側筒部２１の下端および天井側筒部の上端から各縁に沿って外側に垂直に突出している。床支持部２２および天井支持部は、それぞれ中央に取付孔２２ａを有している。
【００３９】
床側筒部２１は床側固定部材１の周囲に間隔をあけて床面７に垂直に設けられ、床支持部２２は床面７に沿うよう設けられている。天井側筒部は天井側固定部材の周囲に間隔をあけて天井面８に垂直に設けられ、天井支持部は天井面８に沿うよう設けられている。弾性充填材４は、床面７と床側固定部材１と床側支持部材２Ａとを結合するよう床側筒部２１の内部に充填硬化されている。また、弾性充填材４は、天井面８と天井側固定部材と天井側支持部材３Ａとを結合するよう天井側筒部の内部に充填硬化されている。
【００４０】
内筒部５２は、外面部５１の中心に長さ方向に沿って伸び、上端に天井側筒部と嵌合する上端保持孔を有し、下端に床側筒部２１と嵌合する下端保持孔５２ａを有している。
【００４１】
間仕切り構造の施工方法は、５つの工程から成る。
第１工程では、床および天井に墨出しし、間仕切りの柱固定位置の中心（間仕切芯）を求める。軸状の床側固定部材１を床面７の間仕切芯に床面７と垂直に固定し、軸状の天井側固定部材を天井面８の床側固定部材１と対向する間仕切芯に天井面８と垂直に固定する。
【００４２】
第２工程では、第１工程後、床側支持部材２Ａの床側筒部２１を床側固定部材１の周囲に間隔をあけて床面７に垂直に設け、床支持部２２を床面７に沿うよう設ける。また、天井側支持部材３Ａの天井側筒部を天井側固定部材の周囲に間隔をあけて天井面に垂直に設け、天井支持部を天井面８に沿うよう設ける。必要に応じて、床支持部２２および天井支持部を、取付孔２２ａにビスを挿入して床面７および天井面８に固定する。
【００４３】
第３工程では、第２工程後、床面７と床側固定部材１と床側支持部材２Ａとを結合するよう床側筒部２１の内部に液状またはペースト状の弾性充填材４を充填して硬化させる。また、天井面８と天井側固定部材と天井側支持部材３Ａとを結合するよう天井側筒部の内部に液状またはペースト状の弾性充填材４を充填して硬化させる。
第４工程では、第３工程後、柱材５の上端を天井側筒部と嵌合させ、柱材５の下端を床側筒部２１と嵌合させる。
【００４４】
第５工程では、第４工程後、柱材５の溝５４に間仕切板６の縁部を嵌合させ、間仕切板６を保持部５３の間に弾力的に挟む。間仕切板６の反対側の縁部を、第１工程〜第４工程により設けた他の柱材５の溝５４に嵌合させる。こうして、間仕切り構造を施工することができる。複数の間仕切板６および複数の柱材５を用いて、間仕切り構造の大きさを自由に設定することができる。
【００４５】
本発明の第２の実施の形態の間仕切り構造および間仕切り構造の施工方法で、床側支持部材２Ａおよび天井側固定部材は、床側固定部材１および天井側固定部材を床側筒部２１および天井側筒部の中心に位置付けてその周囲に間隔をあけて設けられることにより位置決めが容易であり、床側筒部２１および天井側筒部の内部に液状またはペースト状の弾性充填材４を充填して硬化させることにより床側支持部材２Ａおよび天井側支持部材３Ａを床面７および天井面８に容易に固定することができる。
【００４６】
柱材５は、上端保持孔を天井側筒部と嵌合させ、下端保持孔５２ａを床側筒部２１と嵌合させることにより容易に取り付けることができる。床支持部２２および天井支持部は、柱材５の溝５４の内側に収まるので、邪魔にならない。
【００４７】
また、床側支持部材２Ａおよび天井側支持部材３Ａは弾性充填材４を床面７および天井面８から剥がし、床側固定部材１および天井側固定部材から引き抜くことにより床面７および天井面８から取り外すことができるので、各部材の解体および解体後の再利用も容易である。
【００４８】
なお、床支持部２２の床側面には床側筒部２１の内部と取付孔２２ａとを連通させる溝が形成され、天井支持部の天井側面には天井側筒部の内部と取付孔とを連通させる溝が形成されていてもよい。この場合、床側筒部２１および天井側筒部に充填した弾性充填材４が床支持部２２の床側面および天井支持部の天井側面の溝に流れ込み、床支持部２２および天井支持部を床面７および天井面８にしっかりと固定することができる。また、弾性充填材４がその溝に十分に流れ込んだことを、取付孔２２ａに達した弾性充填材４を目視して確認することができる。
また、ビスから成る床側固定部材１および天井側固定部材の頭部側の軸部には、弾性充填材４との結合力を高めるため、突出する羽根が設けられていてもよい。
【符号の説明】
【００４９】
１  床側固定部材
２  床側支持部材
３  天井側支持部材
４  弾性充填材
５  柱材
６  間仕切板
７  床面
８  天井面
５１  外面部
５２  内筒部
５２ａ  下端保持孔
５３  保持部
５４  溝
５５  側部パッキン材
５６  リブ
６１  板側パッキン材
【図１】
2019143460.tif 000003
【図２】
2019143460.tif 000004
【図３】
2019143460.tif 000005
【図４】
2019143460.tif 000006
【図５】
2019143460.tif 000007
【図６】
2019143460.tif 000008
【図７】
2019143460.tif 000009